(57)【要約】【課題】電源投入時に入力される画像信号を、直接、入力画像として表示させない画像表示装置を提供することを目的とする。【解決手段】画像表示装置（プロジェクタ１）は、画像入力端子（画像入力端子部３０）への画像信号の入力を検出する画像信号検出部３２と、画像表示装置の電源投入時に、画像信号検出部３２が画像信号の入力を検出した場合、入力画像の表示を保留する保留状態に移行させる制御を行う画像制御部３４と、を備える。【選択図】図１
2008304584.tif 000002
【特許請求の範囲】
【請求項１】
画像入力端子から入力された画像信号を入力画像として表示する表示部を有する画像表示装置であって、
前記画像入力端子への前記画像信号の入力を検出する画像信号検出部と、
前記画像表示装置の電源投入時に、前記画像信号検出部が前記画像信号の入力を検出した場合、前記入力画像の表示を保留する保留状態に移行させる制御を行う画像制御部と、
を備えることを特徴とする画像表示装置。
【請求項２】
請求項１に記載の画像表示装置であって、
前記画像制御部は、前記保留状態において所定の指示信号が入力された場合に、前記保留状態を解除し、前記入力画像を表示部に表示させることを特徴とする画像表示装置。
【請求項３】
請求項２に記載の画像表示装置であって、
前記画像表示装置の動作を指示するための指示部を有し、
前記所定の指示信号は、前記指示部の所定の指示入力操作による信号であることを特徴とする画像表示装置。
【請求項４】
請求項２または３に記載の画像表示装置であって、
前記保留状態に移行した時点からの経過時間を計時するタイマ部を有し、
前記所定の指示信号は、前記タイマ部による計時時間が所定の前記経過時間に達した時に出力する信号であることを特徴とする画像表示装置。
【請求項５】
請求項１乃至４のいずれか一項に記載の画像表示装置であって、
前記保留状態への移行を許可するか否かの設定を記憶する設定記憶部を有し、
前記画像制御部は、前記設定記憶部に記憶された前記設定に基づき、前記保留状態へ移行させるか否かを制御することを特徴とする画像表示装置。
【請求項６】
請求項１乃至５のいずれか一項に記載の画像表示装置であって、
前記保留状態では、前記表示部に保留画像を表示させ、
該保留画像には、前記画像入力端子に前記画像信号が入力されている旨を表す内容が含まれていることを特徴とする画像表示装置。
【請求項７】
請求項１乃至６のいずれか一項に記載の画像表示装置であって、
複数の前記画像入力端子を有する画像入力端子部と、
前記画像入力端子部の中から１つの前記画像入力端子を選択する画像端子選択部と、
を備え、
前記保留状態において、前記指示部によって前記画像入力端子の選択操作としての入力端子切換操作が行われた場合に、前記画像制御部は、前記保留状態を解除し、前記表示部に、前記入力端子切換操作によって選択された前記画像入力端子に入力された前記画像信号を前記入力画像として表示させることを特徴とする画像表示装置。
【請求項８】
請求項１乃至７のいずれか一項に記載の画像表示装置であって、
前記画像入力端子に対応した音声入力端子を有し、
前記音声入力端子から入力された音声信号を、入力音声として出力する音声出力部と、
前記保留状態では、前記音声出力部が出力する前記入力音声を保留させる制御を行う音声制御部と、
を備えることを特徴とする画像表示装置。
【請求項９】
請求項８に記載の画像表示装置であって、
前記音声制御部は、前記保留状態が解除されたとき、前記入力音声の保留を解除し、前記音声出力部に前記入力音声を出力させることを特徴とする画像表示装置。
【請求項１０】
請求項１乃至９のいずれか一項に記載の画像表示装置であって、
前記表示部は、
光源と、
前記光源から射出された光を前記画像信号に基づいて変調し、画像を形成する光変調装置と、
前記光変調装置で形成された画像を拡大投写する投写光学系と、
を備えるプロジェクタであることを特徴とする画像表示装置。
【発明の詳細な説明】
【技術分野】
【０００１】
本発明は、入力された画像信号を画像として表示する画像表示装置に関するものである。
【背景技術】
【０００２】
従来、画像表示装置（例えば、プロジェクタ等）は、パーソナルコンピュータやビデオプレーヤ等の画像供給装置からの画像信号を入力する複数の画像入力端子を備え、ユーザが選択した画像入力端子に入力された画像信号を画像として表示する。このような画像表示装置は、選択した画像入力端子に画像信号が入力された場合、直ちに、入力された画像信号に基づく画像を表示する。
【０００３】
また、特許文献１では、画像表示装置として、複数の画像信号入力系を備え、さらに画像信号入力系毎に複数の画像入力端子を有し、選択した画像信号入力系毎に画像入力端子を選択することで、入力切換の操作回数を減少させるものが開示されている。
【０００４】
【特許文献１】特開２００３−２７４３１６号公報
【発明の開示】
【発明が解決しようとする課題】
【０００５】
しかし、このような画像表示装置（例えば、プロジェクタ等）の使用において、ユーザが電源投入されていない画像表示装置に画像供給装置（例えば、パーソナルコンピュータ等）を接続し、画像供給装置を操作している場合、その操作途中で画像表示装置の電源を投入すると、操作途中の画像が画像表示装置に表示されてしまい、ユーザにとって表示する意図のない画像が表示されてしまうという課題があった。従って、電源投入時に入力される画像信号を、直接、入力画像として表示させない画像表示装置が求められていた。
【課題を解決するための手段】
【０００６】
本発明は、上述の課題の少なくとも一部を解決するためになされたものであり、以下の形態または適用例として実現することが可能である。
【０００７】
［適用例１］画像入力端子から入力された画像信号を入力画像として表示する表示部を有する画像表示装置であって、画像入力端子への画像信号の入力を検出する画像信号検出部と、画像表示装置の電源投入時に、画像信号検出部が画像信号の入力を検出した場合、入力画像の表示を保留する保留状態に移行させる制御を行う画像制御部と、を備える画像表示装置。
【０００８】
このような画像表示装置によれば、画像表示装置の電源投入時に、画像信号検出部が画像信号の入力を検出した場合に、画像制御部は、入力画像の表示を保留して保留状態に移行させる。これにより、例えば、パーソナルコンピュータ等の画像供給装置から画像信号を入力している状態で、画像表示装置の電源を投入したときに、入力画像の表示を保留することで、表示する意図のない画像が表示されてしまうことを防ぐことができる。ここで、保留とは、入力された画像信号に基づく入力画像の表示（出力）を停止することを意味し、保留状態とは、入力画像の表示（出力）を停止している状態を意味している。
【０００９】
［適用例２］上記画像表示装置であって、画像制御部は、保留状態において所定の指示信号が入力された場合に、保留状態を解除し、入力画像を表示部に表示させる画像表示装置。
【００１０】
このような画像表示装置によれば、画像制御部は、保留状態において所定の指示信号が入力されたときに、保留状態を解除して入力画像を表示させることができるため、ユーザは入力画像を目視することができる。
【００１１】
［適用例３］上記画像表示装置であって、画像表示装置の動作を指示するための指示部を有し、所定の指示信号は、指示部の所定の指示入力操作による信号である画像表示装置。
【００１２】
このような画像表示装置によれば、指示部の所定の指示入力操作による信号を所定の指示信号として、画像制御部は保留状態を解除する。これにより、ユーザは、所定の指示入力操作を行うことで、画像表示装置に入力画像の表示を開始させることができる。
【００１３】
［適用例４］上記画像表示装置であって、保留状態に移行した時点からの経過時間を計時するタイマ部を有し、所定の指示信号は、タイマ部による計時時間が所定の経過時間に達した時に出力する信号である画像表示装置。
【００１４】
このような画像表示装置によれば、タイマ部による計時時間が所定の経過時間に達したときに出力する信号を所定の指示信号とし、画像制御部は保留状態を解除する。これにより、所定の経過時間に達すれば、ユーザが操作をしなくても、画像表示装置は入力画像の表示を開始する。
【００１５】
［適用例５］上記画像表示装置であって、保留状態への移行を許可するか否かの設定を記憶する設定記憶部を有し、画像制御部は、設定記憶部に記憶された設定に基づき、保留状態へ移行させるか否かを制御する画像表示装置。
【００１６】
このような画像表示装置によれば、画像制御部は、設定記憶部に記憶された設定に基づき、保留状態へ移行させるか否かを制御する。これにより、ユーザは、設定を変更することで、画像表示装置を保留状態に移行させるか否かを制御することができる。
【００１７】
［適用例６］上記画像表示装置であって、保留状態では、表示部に保留画像を表示させ、保留画像には、画像入力端子に画像信号が入力されている旨を表す内容が含まれている画像表示装置。
【００１８】
このような画像表示装置によれば、保留状態では、表示部に保留画像を表示させる。保留画像とは、上述した保留状態のときに入力画像の代わりに表示（出力）する画像である。保留画像には、画像入力端子に画像信号が入力されている旨を表す内容が含まれているので、ユーザは、保留画像を目視することで、画像信号が入力されていることを知ることができる。
【００１９】
［適用例７］上記画像表示装置であって、複数の画像入力端子を有する画像入力端子部と、画像入力端子部の中から１つの画像入力端子を選択する画像端子選択部と、を備え、保留状態において、指示部によって画像入力端子の選択操作としての入力端子切換操作が行われた場合に、画像制御部は、保留状態を解除し、表示部に、入力端子切換操作によって選択された画像入力端子に入力された画像信号を入力画像として表示させる画像表示装置。
【００２０】
このような画像表示装置によれば、保留状態において、指示部によって入力端子切換操作が行われた場合に、画像制御部は、保留状態を解除し、表示部に、入力端子切換操作によって選択された画像入力端子に入力された画像信号を入力画像として表示させる。これにより、保留状態であっても、画像入力端子を切り換えて他の入力画像を表示させたいユーザは、入力端子切換操作を行うことで、直ちに、切り換えた画像入力端子に入力された画像を視認することができる。
【００２１】
［適用例８］上記画像表示装置であって、画像入力端子に対応した音声入力端子を有し、音声入力端子から入力された音声信号を、入力音声として出力する音声出力部と、保留状態では、音声出力部が出力する入力音声を保留させる制御を行う音声制御部と、を備える画像表示装置。
【００２２】
このような画像表示装置によれば、保留状態では、音声制御部は、音声出力部が出力する入力音声を保留させる。これにより、出力する意図のない音声が出力されてしまうことを防ぐことができる。ここで、入力音声の保留とは、入力音声の出力を停止することを意味している。
【００２３】
［適用例９］上記画像表示装置であって、音声制御部は、保留状態が解除されたとき、入力音声の保留を解除し、音声出力部に入力音声を出力させる画像表示装置。
【００２４】
このような画像表示装置によれば、保留状態が解除されたときには、音声制御部は、入力音声の保留を解除し、音声出力部に入力音声を出力させるため、ユーザは入力音声を聴くことができる。
【００２５】
［適用例１０］上記画像表示装置であって、表示部は、光源と、光源から射出された光を画像信号に基づいて変調し、画像を形成する光変調装置と、光変調装置で形成された画像を拡大投写する投写光学系と、を備えるプロジェクタである画像表示装置。
【００２６】
こうすれば、上述のような効果が得られ、電源投入時に、ユーザにとって表示する意図のない画像が表示されてしまうことを防ぎ、さらに、出力する意図のない音声が出力されてしまうことも防ぐプロジェクタを提供することができる。特にプロジェクタの場合、プレゼンテーション等に使用されることが多く、効率的なプレゼンテーションを行うことが可能となる。
【発明を実施するための最良の形態】
【００２７】
以下、画像表示装置の実施形態として、光源から射出された光を画像信号に基づいて変調して画像を形成し、この画像を外部のスクリーン等に拡大投写するプロジェクタに適用した場合について説明する。
【００２８】
（実施形態）
図１は、本実施形態に係る画像表示装置としてのプロジェクタの概略構成を示すブロック図である。図１を使用して、プロジェクタ１の内部構成について説明する。
【００２９】
プロジェクタ１は、画像の投写を行う画像投写部１０と、制御部２０と、指示部としての入力操作部２１と、タイマ部２２と、画像入力端子部３０と、画像端子選択部３１と、画像信号検出部３２と、画像処理部３３と、画像制御部３４と、保留画像記憶部３５と、設定記憶部３６と、音声入力端子部４０と、音声端子選択部４１と、音声処理部４２と、音声制御部４３と、音声出力部４４と、スピーカ部４５とを備えている。また、図１には、プロジェクタ１の外部に、スクリーンＳＣを図示している。本実施形態では、画像投写部１０およびスクリーンＳＣによって表示部を構成している。
【００３０】
画像投写部１０は、超高圧水銀ランプやメタルハライドランプ等の放電型光源やＬＥＤ（Light Emitting Diode）等の固体型光源からなる光源１１と、光変調装置としての液晶ライトバルブ１２と、投写光学系としての投写レンズ１３と、液晶ライトバルブ１２を駆動するライトバルブ駆動部１４とを備えている。
【００３１】
液晶ライトバルブ１２は、一対の透明基板間に液晶が封入された透過型液晶パネル等によって構成される。ライトバルブ駆動部１４の駆動によって、液晶ライトバルブ１２の各画素に画像信号に応じた駆動電圧が印加されると、各画素は、画像信号に応じた光透過率で光源光を透過させる。
【００３２】
光源１１から射出された光は、この液晶ライトバルブ１２を透過することによって変調され、変調後の光が投写レンズ１３によって投写されることにより、スクリーンＳＣ等に画像信号に応じた画像が表示される。
【００３３】
制御部２０は、ＣＰＵ（Central Processing Unit）、フラッシュメモリ等からなるＲＯＭ（Read Only Memory）、各種データの一時記憶等に用いられるＲＡＭ（Random Access Memory）等（いずれも図示せず）を備え、コンピュータとして機能するものである。制御部２０は、ＣＰＵがＲＯＭに記憶されている制御プログラムに従って動作することにより、プロジェクタ１の動作を統括制御する。
【００３４】
入力操作部２１は、プロジェクタ１に対して各種指示を行うための複数のキー等を備えている。入力操作部２１が備えるキーには、電源のオン／オフを行うための電源キーや、各種設定を行うためのメニュー画面の表示／非表示を切り換えるメニューキー、画像入力端子を切り換えるための入力切換キー、決定キー等がある。ユーザが入力操作部２１を操作すると、入力操作部２１は、ユーザの操作内容に応じた操作信号を制御部２０に出力する。なお、リモコン信号受信部（図示せず）を有し、入力操作部２１として、遠隔操作が可能なリモートコントローラ（図示せず）を用いた構成としてもよい。この場合、リモートコントローラは、ユーザの操作内容に応じた赤外線等の操作信号を発し、リモコン信号受信部がこれを受信して制御部２０に伝達してもよい。
【００３５】
タイマ部２２は、制御部２０からの指示によって、様々な計時処理を行う。例えば、保留状態開始時からの経過時間を計時し、所定の経過時間に達した時に、制御部２０に通知する。
【００３６】
画像入力端子部３０には、パーソナルコンピュータやビデオプレーヤ等、外部の画像供給装置（図示せず）とケーブルを介した接続を行うための各種画像入力端子が備えられ、画像供給装置から各種画像信号が入力される。
【００３７】
画像端子選択部３１は、制御部２０からの指示に従い、画像入力端子部３０の中から１つの画像入力端子を選択し、その画像入力端子に入力されている画像信号を画像信号検出部３２へ出力する。また、画像端子選択部３１は、現在選択している画像入力端子の情報を音声端子選択部４１へ出力する。
【００３８】
画像信号検出部３２は、画像制御部３４からの指示により、画像端子選択部３１が選択している画像入力端子の画像信号の入力を検出し、入力があるか否かを画像制御部３４に通知する。
【００３９】
画像処理部３３は、画像信号検出部３２から出力された画像信号を入力し、画像信号に応じた画像データを生成する。また、保留状態においては、保留画像記憶部３５から後述する保留画像データを入力する。そして、画像制御部３４からの指示により、画像データまたは保留画像データのいずれかを画像投写部１０に出力する。また、画像処理部３３は、画像制御部３４からの指示により、画像データに対して各種画像データ処理（画像処理、台形歪補正処理、画質調整処理等）を施す。
【００４０】
画像制御部３４は、制御部２０からの指示に従い、画像の出力の制御を行う。画像制御部３４は、画像信号検出部３２から画像信号の入力の情報を入力する。また、設定記憶部３６から保留状態への移行を許可するか否かの設定情報を入力する。画像制御部３４は、これらの情報に基づいて入力画像の表示を保留するか否かを判断する。そして、保留状態にする場合は、画像制御部３４は、画像処理部３３に対して入力画像を保留して保留画像データを出力するように指示をする。また、保留状態にしない場合は、画像処理部３３に対して画像信号を入力して画像データとして出力するように指示をする。さらに、画像制御部３４は、音声制御部４３に対して、保留状態か否かの情報を出力する。また、画像制御部３４は、画像処理部３３に対して、各種画像データ処理を行うように指示をする。
【００４１】
保留画像記憶部３５は、保留画像の画像データ（保留画像データ）を記憶している。そして、保留画像データは、保留状態のときに、画像処理部３３によって読み出される。
【００４２】
図２は、保留画像の表示図である。本実施形態では、保留画像Ｇ１は、選択されている画像入力端子名と、画像信号が検出されている旨と、ユーザへの操作説明として所定の指示入力操作により保留状態を解除する旨と、所定の経過時間に達することにより保留状態を解除する旨とを表示している。
【００４３】
図２では、保留画像Ｇ１の右側上方に、選択されている画像入力端子名を表示している。また、保留画像Ｇ１の中央には、映像信号（画像信号）が検出されていることを表示している。さらに、入力操作部２１の決定キーの入力操作で投写（画像表示）を開始すること、および、所定の経過時間としての３０秒後に投写（画像表示）を開始することを表示している。
【００４４】
図１に戻って、設定記憶部３６は、保留状態への移行を許可するか否かの設定を記憶する。設定した値は、制御部２０により書き換えが行われる。また、設定した値は、画像制御部３４によって読み出される。
【００４５】
図３は、保留画面表示設定メニューの表示図である。保留画面表示設定メニューとは、保留状態への移行を許可するか否かの設定を変更するメニュー項目の画面である。本実施形態では、図３に示すように、プロジェクタ１にソフトウェアとして実装する機能設定メニューに「保留画面表示設定」項目画面Ｍ１を設けている。「保留画面表示設定」項目画面Ｍ１では、保留状態へ移行し、保留画面（保留画像）を表示することを許可するか否かを、ユーザが設定する。ユーザは、入力操作部２１を操作することによって、「はい」（許可する）または「いいえ」（許可しない）のいずれかを選択し、設定する。ユーザが選択した設定は、設定記憶部３６に記憶する。
【００４６】
図１に戻って、次に、音声信号系の機能構成について説明する。
音声入力端子部４０には、パーソナルコンピュータやビデオプレーヤ等、外部の音声供給装置（図示せず）とケーブルを介した接続を行うための各種音声入力端子が備えられ、音声供給装置から各種音声信号が入力される。
【００４７】
音声端子選択部４１は、画像端子選択部３１から選択している画像入力端子の情報を入力し、対応する音声入力端子を、音声入力端子部４０の中から選択する。そして、その音声入力端子に入力されている音声信号を音声処理部４２へ出力する。
【００４８】
音声処理部４２は、音声端子選択部４１から出力された音声信号を入力し、出力特性を調整するための処理を施す。また、音声制御部４３からの指示により、処理を施した音声信号を音声出力部４４へ出力、または、保留（停止）する。
【００４９】
音声制御部４３は、画像制御部３４から保留状態の情報を入力し、画像信号の出力に対応した音声の出力の制御を行う。保留状態にする場合は、音声制御部４３は、音声処理部４２に対して入力音声の出力を保留するように指示をする。また、保留状態にしない場合は、音声処理部４２に対して音声信号を出力するように指示をする。
【００５０】
音声出力部４４は、増幅回路等（図示せず）を備え、音声処理部４２から音声信号を入力し、音声信号に基づく音声をスピーカ部４５から出力する。
【００５１】
上述のような構成によって、プロジェクタ１は、画像信号が入力されたときに画像と音声出力を保留するか出力するかを判断し、保留する場合は、保留画像Ｇ１を表示して音声出力を保留（停止）することができる。また、出力する場合は、入力された画像信号に基づく画像を表示し、入力された音声信号に基づく音声を出力することができる。
【００５２】
次に、本実施形態におけるプロジェクタ１の動作について説明する。
図４は、本実施形態に係るプロジェクタの電源投入時における画像表示制御処理のフローチャートである。本実施形態では、プロジェクタ１は、電源投入時に画像信号の入力の有無を検出し、画像の表示制御および音声の出力制御を行う。当フローチャートを用いて、プロジェクタ１の電源投入時の画像表示制御処理について説明する。
【００５３】
プロジェクタ１に電源が投入されると、画像信号検出部３２は、画像端子選択部３１が選択している画像入力端子に画像信号が入力されているか否かを判断する（ステップＳ１００）。画像信号が入力されていなければ（ステップＳ１００：ＮＯ）、画像処理部３３は、画像信号が入力されていないことを表す入力信号無し画像（図示せず）の画像データを画像投写部１０へ出力して表示を行い（ステップＳ１０７）、当フローチャートを終了する。
【００５４】
ステップＳ１００において、画像信号が入力されていれば（ステップＳ１００：ＹＥＳ）、画像制御部３４は、設定記憶部３６から設定を読み出し、保留状態への移行が許可されているか否かを判断する（ステップＳ１０１）。保留状態への移行が許可されていなければ（ステップＳ１０１：ＮＯ）、画像制御部３４は、画像処理部３３に入力画像データを出力するように指示を出し、画像処理部３３は、入力画像データを画像投写部１０へ出力して表示を行う。さらに、音声制御部４３は、画像制御部３４から情報を入力して、音声処理部４２に音声を出力するように指示を出し、音声処理部４２は、音声を出力する（ステップＳ１１０）。そして、当フローチャートを終了する。
【００５５】
ステップＳ１０１において、保留状態への移行が許可されていれば（ステップＳ１０１：ＹＥＳ）、画像制御部３４は、画像処理部３３に保留状態へ移行し、保留画像データを出力するように指示を出す。画像処理部３３は、保留画像データを画像投写部１０へ出力して保留画像Ｇ１の表示を行う。さらに、音声制御部４３は、画像制御部３４から情報を入力し、音声処理部４２に音声を保留するように指示を出す。そして、音声処理部４２は、音声出力を保留（停止）する。これにより、保留状態に移行する（ステップＳ１０２）。次に、制御部２０は、タイマ部２２へ指示を出し、所定の経過時間としての３０秒を計時するタイマをスタートする（ステップＳ１０３）。
【００５６】
次に、制御部２０は、所定の指示入力操作としての入力操作部２１の決定キーが押下されたか否かを判断する（ステップＳ１０４）。決定キーが押下されていれば（ステップＳ１０４：ＹＥＳ）、制御部２０は、タイマ部２２へ指示を出し、タイマを停止する（ステップＳ１０９）。そして、ステップＳ１１０へ移行し、画像処理部３３は、入力画像データを画像投写部１０へ出力して表示を行い、さらに、音声処理部４２は、音声を出力する。これにより、保留状態を解除する。そして、当フローチャートを終了する。
【００５７】
ステップＳ１０４において、決定キーが押下されていなければ（ステップＳ１０４：ＮＯ）、次に、制御部２０は、入力操作部２１の入力切換キーが押下されたか否かを判断する（ステップＳ１０５）。入力切換キーが押下されていれば（ステップＳ１０５：ＹＥＳ）、画像端子選択部３１は、制御部２０からの指示に従って、画像入力端子部３０の画像入力端子のうちの１つを選択し、切り換えを行う。さらに、音声端子選択部４１は、選択した画像入力端子に対応した音声入力端子を選択し、切り換えを行う（ステップＳ１０８）。そして、ステップＳ１０９へ移行し、タイマを停止する。そして、ステップＳ１１０へ移行し、画像処理部３３は、選択した画像入力端子からの入力画像信号を入力画像データとして画像投写部１０に出力して表示を行い、音声処理部４２は、選択した音声入力端子からの音声を出力する。これにより、保留状態を解除する。そして、当フローチャートを終了する。
【００５８】
ステップＳ１０５において、入力切換キーが押下されていなければ（ステップＳ１０５：ＮＯ）、次に、タイマ部２２は、経過時間が３０秒に達したか否かを判断する（ステップＳ１０６）。経過時間が３０秒に達していれば（ステップＳ１０６：ＹＥＳ）、ステップＳ１０９へ移行し、タイマを停止する。そしてステップＳ１１０へ移行し、画像処理部３３は、入力画像データを画像投写部１０へ出力して表示を行い、音声処理部４２は、音声を出力する。これにより、保留状態を解除する。そして、当フローチャートを終了する。
【００５９】
ステップＳ１０６において、経過時間が３０秒に達していなければ（ステップＳ１０６：ＮＯ）、ステップＳ１０４に移行し、押下キーの判断と経過時間の判断を繰り返す。
【００６０】
以上のような処理により、プロジェクタ１は、電源投入時の保留画像Ｇ１の表示、および、入力画像の表示といった画像表示制御を行う。
【００６１】
上述した実施形態によれば、以下の効果が得られる。
（１）プロジェクタ１は、電源投入時に画像入力端子に画像信号が入力されていることを検出した場合に、保留状態として保留画像Ｇ１を表示する。これにより、入力画像を表示することなく、保留画像Ｇ１を表示することができるため、表示する意図のない画像表示を行わないようにすることが可能となる。例えば、ユーザがプレゼンテーションの準備を行っているときに、プロジェクタ１の電源を投入することで、プレゼンテーションの準備途中の画像が表示されてしまうことを防ぐことができるため、効率的で無駄の無いプレゼンテーションを行うことが可能となる。
【００６２】
（２）また、プロジェクタ１は、保留状態において、所定の指示信号が入力されたときに、保留状態を解除する。これにより、保留画像Ｇ１の表示を解除して入力画像の表示を開始することができ、ユーザは入力画像を目視することができる。例えば、プレゼンテーションの準備が完了した後で、プロジェクタ１の保留状態を解除することで、表示する意図のない画像を表示させることがなく、効率的なプレゼンテーションを行うことが可能となる。
【００６３】
（３）また、プロジェクタ１の保留状態では、ユーザによる入力操作部２１の決定キー等の押下による信号を所定の指示信号として、保留状態を解除する。これにより、ユーザは、所望のタイミングで保留画像Ｇ１の表示を解除し、入力画像の表示を開始することができる。
【００６４】
（４）また、プロジェクタ１の保留状態では、所定の経過時間として３０秒経過したときに出力する信号を所定の指示信号として、保留状態を解除し、入力画像の表示を開始する。これにより、所定の経過時間の間、表示する意図のない画像が表示されてしまうことを防ぐことができる。また、所定の経過時間に達すれば、ユーザが操作をしなくても、プロジェクタ１は入力画像の表示を開始するため、ユーザは、所定の経過時間を目安にしてパーソナルコンピュータ等の画像供給装置の準備を行うことができる。また、プロジェクタ１の操作に不慣れなユーザが、保留状態において解除の仕方がわからなくなったときも、所定の経過時間によって保留画像Ｇ１の表示を解除し、入力画像を表示させることが可能となるため、有益である。
【００６５】
（５）また、プロジェクタ１は、設定記憶部３６に記憶された設定に基づいて、保留状態へ移行するか否かを制御される。これにより、ユーザは「保留画面表示設定」項目画面Ｍ１にて設定を変更することで、プロジェクタ１の保留状態への移行についての制御を行うことができる。つまり、ユーザの意思で保留画像Ｇ１を表示するか否かを決定することができる。
【００６６】
（６）また、プロジェクタ１の保留状態では、現在の画像信号の入力の有無、および、次の操作が分かるように保留画像Ｇ１を表示する。保留画像Ｇ１には、選択している画像入力端子への画像信号の入力が検出されている旨を表す内容が含まれている。これにより、ユーザは、保留画像Ｇ１を目視することで、画像入力端子に画像信号が入力されていることを知ることができる。さらに、保留画像Ｇ１には、所定の指示入力操作としての決定キーの押下、および、所定の経過時間としての３０秒の経過により、入力画像が表示される旨を表す内容が含まれている。これにより、ユーザは、決定キーを押下するか、３０秒が経過することにより、プロジェクタ１が入力画像を表示することを知ることができる。
【００６７】
（７）また、プロジェクタ１の保留状態において、ユーザによる入力端子切換操作が行われたときは、保留状態を解除して、切り換えた画像入力端子の入力画像を表示する。これにより、ユーザが画像入力端子を切り換えた際に、直ちに入力画像の表示を目視することができる。つまり、入力端子切換操作を行ったユーザは、画像入力端子を切り換えて入力画像を視聴する意思があるため、直ちに表示することが有益である。
【００６８】
（８）また、プロジェクタ１は、保留状態では、入力音声の出力も保留する。これにより、ユーザが出力する意図のない音声を出力しないようにすることが可能となる。例えば、ユーザがプレゼンテーションの準備を行っているときに、その準備途中の音声が出力されてしまうことを防ぐことができるため、効率的で無駄の無いプレゼンテーションを行うことが可能となる。
【００６９】
（９）また、プロジェクタ１は、保留状態が解除されたときには、入力音声の出力の保留も解除する。これにより、入力画像の表示と同時に入力音声を出力することができ、ユーザは画像と音声を視聴することができる。
【００７０】
以上、実施形態について説明したが、本発明はこうした実施形態に何ら限定されるものではなく、本発明の要旨を逸脱しない範囲において様々な形態で実施し得ることは勿論である。以下に変形例を述べる。
【００７１】
（変形例１）上記実施形態では、所定の経過時間は３０秒としているが、３０秒に限定するものではない。また、所定の経過時間をユーザが設定できるものとしてもよい。例えば、プロジェクタ１にソフトウェアとして実装する機能設定メニューに、「保留画面表示時間」項目を設け、ユーザが入力操作部２１を操作することによって、所定の経過時間を変更し、設定できるものとする。こうすれば、ユーザは、プロジェクタ１の保留状態を解除する所定の経過時間を自由に設定することが可能となる。
【００７２】
（変形例２）上記実施形態では、プロジェクタ１の機能設定メニューに「保留画面表示設定」項目画面Ｍ１を設け、保留状態への移行を許可するか否かを、設定記憶部３６に設定するものとしているが、設定記憶部３６を設けず、プロジェクタ１の電源投入時に画像入力端子に画像信号が入力された場合は、必ず保留状態に移行するものとしてもよい。
【００７３】
（変形例３）上記実施形態では、光変調装置として透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００７４】
（変形例４）上記実施形態では、画像表示装置として、プロジェクタ１を例にして説明しているが、透過型のスクリーンを一体的に備えたリアプロジェクタ、あるいは、液晶ディスプレイ、プラズマディスプレイ、ＳＥＤ（Surface-Conduction Electron-Emitter Display）、有機ＥＬ（Electro Luminescence）ディスプレイ、ＣＲＴ（Cathode Ray Tube）ディスプレイ等に適用することも可能である。
【図面の簡単な説明】
【００７５】
【図１】本実施形態に係る画像表示装置としてのプロジェクタの概略構成を示すブロック図。
【図２】保留画像の表示図。
【図３】保留画面表示設定メニューの表示図。
【図４】プロジェクタの電源投入時における画像表示制御処理のフローチャート。
【符号の説明】
【００７６】
１…プロジェクタ、１０…画像投写部、１１…光源、１２…液晶ライトバルブ、１３…投写レンズ、１４…ライトバルブ駆動部、２０…制御部、２１…入力操作部、２２…タイマ部、３０…画像入力端子部、３１…画像端子選択部、３２…画像信号検出部、３３…画像処理部、３４…画像制御部、３５…保留画像記憶部、３６…設定記憶部、４０…音声入力端子部、４１…音声端子選択部、４２…音声処理部、４３…音声制御部、４４…音声出力部、４５…スピーカ部。
【図１】
2008304584.tif 000003
【図２】
2008304584.tif 000004
【図３】
2008304584.tif 000005
【図４】
2008304584.tif 000006